(57)【要約】【課題】スラブヤードに段重ね状態で置かれている高温スラブに対して、スラブストック量の制限を生じさせることなく、安価なコストで効率的に保熱することができる高温スラブの保熱カバーおよび保熱方法を提供する。【解決手段】スラブヤード１に段重ね状態で置かれている高温スラブ１０の最上段の高温スラブ１０ａの上に、スラブ１３を刳り貫いて断熱材１４を埋め込んだ保熱カバー１１を重ねる。【選択図】図３
2007118038.tif 000002
【特許請求の範囲】
【請求項１】
段重ね状態で置かれている高温スラブの保熱カバーであって、スラブに断熱材を重ね合わせたことを特徴とする高温スラブの保熱カバー。
【請求項２】
スラブの片側面を刳り貫いて断熱材を埋め込んだものであることを特徴とする請求項１に記載の高温スラブの保熱カバー。
【請求項３】
スラブの片側面に断熱材を貼り付けたものであることを特徴とする請求項１に記載の高温スラブの保熱カバー。
【請求項４】
スラブの片面側の複数箇所に支持部を設け、支持部以外のスラブ表面に支持部の高さ未満の厚さの断熱材を貼り付けたものであることを特徴とする請求項３に記載の高温スラブの保熱カバー。
【請求項５】
段重ね状態で置かれている高温スラブの最上段に、請求項１乃至４のいずれかに記載の保熱カバーを重ねることを特徴とする高温スラブの保熱方法。
【請求項６】
前記保熱カバーを、断熱材を有する面を上面側として用いることを特徴とする請求項５に記載の高温スラブの保熱方法。
【発明の詳細な説明】
【技術分野】
【０００１】
本発明は、連続鋳造後等の高温スラブを加熱炉へ装入するまでの間、スラブヤードに仮置きしている際に、その高温スラブを保熱するための高温スラブの保熱カバーおよび保熱方法に関するものである。
【背景技術】
【０００２】
熱間圧延にて鋼板を製造するには、連続鋳造機にて製造されたスラブを一旦スラブヤードに仮置き（ストック）し、加熱炉に装入後、適切な温度に加熱し、連続的に圧延機へ供給される。加熱炉にスラブを装入する際、連続鋳造されたままの高温スラブをその顕熱を利用して加熱に要するエネルギーを極力軽減することを目的として、従来より、連続鋳造後の高温スラブを加熱炉へ装入するまでの間、その高温スラブを保熱することが行われている。
【０００３】
例えば、図４に示すように、スラブヤード１に段重ね状態で仮置きされている高温スラブ１０の全体を、鉄皮５１に断熱材５２を貼った保熱カバー５０で覆うようにしたり、図５に示すように、スラブヤード１に耐火煉瓦６３で囲まれた保熱ビット６１とピットカバー６２からピット式の保熱室６０を設け、その保熱室６０内に高温スラブ１０を段重ね状態で仮置きしたりすることで、高温スラブ１０の温度低下を防止することが行われている（例えば、特許文献１参照。）。さらに、前述の保熱室６０においては、加熱炉で発生する排ガスを保熱室６０内へ導き、高温スラブ１０の温度低下を防止することも行われている。
【特許文献１】特開昭５９−１９０３２７号公報
【発明の開示】
【発明が解決しようとする課題】
【０００４】
しかしながら、図４に示したような、段重ね状態の高温スラブ１０全体を覆う保熱カバー５０を用いる場合、段重ね可能な高さの制限が発生し、スラブヤードにストック可能なスラブ量の制限が発生する。また、仮置き後に加熱炉へ装入する際、保熱カバー５０を一旦取外して仮置きしなければならず、この保熱カバー５０の置き場所を確保することによってもスラブストック量の制限を発生する。
【０００５】
同様に、図５に示したような、耐火煉瓦６３で囲まれた保熱室６０を用いる場合も、保熱室６０の内容積の制約から、限られた数量のスラブしかストックできない。また、加熱炉で発生する排ガスを導く装置を備えた保熱室においては、設備の初期にかかる建設費用や維持管理するためのメンテナンスコストが多大にかかる。
【０００６】
本発明は、上記のような事情に鑑みてなされたものであり、スラブヤードに段重ね状態で置かれている高温スラブに対して、スラブストック量の制限を生じさせることなく、安価なコストで効率的に保熱することができる高温スラブの保熱カバーおよび保熱方法を提供することを目的とするものである。
【課題を解決するための手段】
【０００７】
本発明者らは、上記課題を解決するために鋭意検討を行い、段重ね状態で置かれている高温スラブにおいては、最上段の高温スラブの上面からの放熱が最も大きいことから、その放熱を抑制するようにすれば、段重ね状態の高温スラブを効率的に保温できるとの考えに至った。
【０００８】
上記の考えに基づいて、本発明は以下の特徴を有している。
【０００９】
［１］段重ね状態で置かれている高温スラブの保熱カバーであって、スラブに断熱材を重ね合わせたことを特徴とする高温スラブの保熱カバー。
【００１０】
［２］スラブの片側面を刳り貫いて断熱材を埋め込んだものであることを特徴とする前記［１］に記載の高温スラブの保熱カバー。
【００１１】
［３］スラブの片側面に断熱材を貼り付けたものであることを特徴とする前記［１］に記載の高温スラブの保熱カバー。
【００１２】
［４］スラブの片面側の複数箇所に支持部を設け、支持部以外のスラブ表面に支持部の高さ未満の厚さの断熱材を貼り付けたものであることを特徴とする前記［３］に記載の高温スラブの保熱カバー。
【００１３】
［５］段重ね状態で置かれている高温スラブの最上段に、前記［１］乃至［４］のいずれかに記載の保熱カバーを重ねることを特徴とする高温スラブの保熱方法。
【００１４】
［６］前記保熱カバーを、断熱材を有する面を上面側として用いることを特徴とする前記［５］に記載の高温スラブの保熱方法。
【発明の効果】
【００１５】
本発明においては、スラブヤードに段重ね状態で置かれている高温スラブに対して、スラブストック量の制限を生じさせることなく、安価なコストで効率的に保熱することができる。
【００１６】
すなわち、段重ね状態で置かれている高温スラブの最上段に、スラブに断熱材を重ね合わせた保熱カバーを重ねるようにしているので、最上段の高温スラブの上面からの放熱が抑制され、高温スラブを適切に保温することができるとともに、この保熱カバーによる段重ね可能高さの制限を生じることがないし、この保熱カバーは段重ねして収納することが可能であるため、スラブストック量の制限を発生させることがない。また、従来の高温スラブ全体を覆う保熱カバーや耐火煉瓦で囲まれた保熱室よりも、安価な初期費用で製作可能であり、かつメンテナンス性も向上するため、ランニングコストも安くすることが可能となる。さらに、スラブに断熱材を重ね合わせた保熱カバーであるので、通常のスラブと同形状であることから、クレーンのスラブ搬送用トングによるハンドリングも容易である。
【発明を実施するための最良の形態】
【００１７】
本発明の実施の形態を図面に基づいて説明する。
【００１８】
図１は、本発明の保熱カバーの一例を示すものである。この保熱カバー１１は、通常のスラブ１３の上面側の一部を刳り貫いて、セラミックファイバー等の断熱材１４を埋め込んだものである。
【００１９】
また、図２は、本発明の保熱カバーの他の例を示すものである。この保熱カバー１２は、通常のスラブ１３の上面側の表面に、セラミックファイバー等の断熱材１４を貼りあわせたものである。なお、図中の１５は支持ブロックであり、保熱カバー１２を重ね合わせた時に、その荷重を支持ブロック１５で受けることで、断熱材１４の損傷を防止するようにしている。支持ブロック１５の高さは、断熱材１４の厚さよりも高くすることで、断熱材１４の損傷はより抑制される。
【００２０】
そして、図３は、上記の保熱カバーを用いて高温スラブの保熱を行っている様子を示すものである。すなわち、スラブヤード１に段重ね状態で置かれている高温スラブ１０の最上段の高温スラブ１０ａの上に、図１で示したスラブ１３を刳り貫いて断熱材１４を埋め込んだ保熱カバー１１が重ねられている。なお、図２で示したスラブ１３の表面に、セラミックファイバー等の断熱材１４を貼りあわせたものを用いても同様である。
【００２１】
上記のようにして、この実施形態においては、スラブヤード１に段重ね状態で置かれている高温スラブ１０の最上段の高温スラブ１０ａの上に、スラブ１３を刳り貫いて断熱材１４を埋め込んだ保熱カバー１１を重ねるようにしているので、最上段の高温スラブの上面１０ａからの放熱が抑制され、高温スラブ１０を適切に保温することができる。そして、保熱カバー１１による段重ね可能高さの制限を生じることがないし、保熱カバー１１は段重ねして収納することが可能であるため、スラブストック量の制限を発生させることがない。また、従来の高温スラブ全体を覆う保熱カバー５０や耐火煉瓦６３で囲まれた保熱室６０よりも、安価な初期費用で製作可能であり、かつメンテナンス性も向上するため、ランニングコストも安くすることが可能となる。さらに、スラブ１３を刳り貫いて断熱材１４を埋め込んだ保熱カバーであるので、通常のスラブと同形状であることから、クレーンのスラブ搬送用トングによるハンドリングも容易である。
【００２２】
したがって、この実施形態においては、スラブヤード１に段重ね状態で置かれている高温スラブ１０に対して、スラブストック量の制限を生じさせることなく、安価なコストで効率的に保熱することができる。
【００２３】
なお、以上の実施形態では、断熱材１４を有する面を上面側に用いた。断熱材は長期間使用すると損耗するので定期的に交換する必要があるが、断熱材１４が下面側にある場合には断熱材交換時に保熱カバー１１を裏返す必要があるため、メンテナンス性に劣る。したがって、メンテナンス性を重要視する場合には、断熱材１４を有する面を上面側にして用いることが好ましい。
【００２４】
ただし、本発明はこれに限定されるものではない。断熱材１４を下面側とした方が保温性の面ではやや優れるため、保温性を重要視する場合には、断熱材１４を有する面を下面側として用いてもよい。
【実施例】
【００２５】
本発明の実施例を以下に述べる。
【００２６】
まず、比較例１として、スラブヤード１に段重ね状態で置かれている高温スラブ１０をそのまま放冷した。
【００２７】
また、比較例２として、スラブヤード１に段重ね状態で置かれている高温スラブ１０の最上段の高温スラブ１０ａの上に、スラブ単体を保熱カバーの代用として重ねた。
【００２８】
これに対して、本発明例として、スラブヤード１に段重ね状態で置かれている高温スラブ１０の最上段の高温スラブ１０ａの上に、図１に示したような、スラブを刳り貫いて断熱材を埋め込んだ保熱カバー１１を重ねた。
【００２９】
それぞれの場合における、最上段に位置する高温スラブ１０ａの上表面温度の経時変化を表１に示す。
【００３０】
【表１】
2007118038.tif 000003
【００３１】
表１に示すように、保熱カバーを用いない比較例１では、当初７８０℃であったものが、１０時間後には４６０℃にまで温度低下していた。また、スラブ単体を保熱カバーとして代用した比較例２では、当初７８０℃であったものが、１０時間後には５２０℃まで温度低下していた。
【００３２】
これに対して、本発明例では、当初７８０℃であったものが、１０時間後でも６１０℃であり、適切に保熱されていた。
【００３３】
これによって、本発明の保熱効果を確認することができた。
【図面の簡単な説明】
【００３４】
【図１】本発明の保熱カバーの一例を示す図である。
【図２】本発明の保熱カバーの他の例を示す図である。
【図３】本発明の実施形態において保熱カバーの使用状態を示す図である。
【図４】従来技術の説明図である。
【図５】他の従来技術の説明図である。
【符号の説明】
【００３５】
１  スラブヤード
１０  段重ね状態の高温スラブ
１０ａ  最上段の高温スラブ
１１  保熱カバー
１２  保熱カバー
１３  スラブ
１４  断熱材
１５  支持ブロック
５０  保熱カバー
５１  鉄皮
５２  断熱材
６０  保熱室
６１  保熱ピット
６２  ピットカバー
６３  耐火煉瓦
【図１】
2007118038.tif 000004
【図２】
2007118038.tif 000005
【図３】
2007118038.tif 000006
【図４】
2007118038.tif 000007
【図５】
2007118038.tif 000008